(57)【特許請求の範囲】
【請求項１】
左右の壁パネルの接続箇所の表面にカバープレートを装着するとともにシールを図って壁パネルを接続する壁パネルの接続構造であって、左右に間隔を隔てた壁下地間に上下幅方向全長にわたってジョイント手段を取付け、一方の壁パネルをパネルの上下幅方向全長にわたるシール材を介してジョイント手段に押圧させて一方の壁下地に内側より固定ボルトにて固定し、固定された壁パネルの端部表面にカバープレートの巾方向の一側部を仮置きし、カバープレートの巾方向の中央部にボルトを貫通させるとともに壁下地の裏面に係止された座金との間にボルトを仮止めして壁下地にカバープレートを仮保持し、側方が開放されているカバープレートと他方の壁下地との間に他方の壁パネルを挿入するとともに壁パネルに付設されていてパネルの上下幅方向全長にわたるシール材を上記ジョイント手段に押圧させ、他方の壁パネルを他方の壁下地に内側より固定ボルトにて固定し、ボルトを内側より本締めしてカバープレートを左右の壁パネルに圧接して成ることを特徴とする壁パネルの接続構造。
【請求項２】
ジョイント手段は、チャンネル状の縦ジョイントを備え、縦ジョイントに断熱材を装填するとともに縦ジョイントの両側壁の先端部を左右の壁パネルの端部背面に付設したシール材に圧入して成ることを特徴とする請求項１記載の壁パネルの接続構造。
【請求項３】
ジョイント手段は、チャンネル状の縦ジョイントと断面ハット形の覆い体を備え、覆い体に断熱材を装填するとともに縦ジョイントを覆い体に固定し、縦ジョイントの両側壁の先端部を左右の壁パネルの端部背面に付設したシール材に圧入して成ることを特徴とする請求項１記載の壁パネルの接続構造。
【請求項４】
カバープレートと左右の壁パネルとの間にシールパッキンを介装して成ることを特徴とする請求項１記載の壁パネルの接続構造。
【請求項５】
左右の壁パネルの接続箇所の表面にカバープレートを装着するとともにシールを図って壁パネルを接続する壁パネルの施工方法であって、左右に間隔を隔てた壁下地間に上下幅方向の全長にわたってジョイント手段を取付け、一方の壁パネルをパネルの上下幅方向全長にわたるシール材を介してジョイント手段に押圧させて一方の壁下地に内側より固定ボルトにて固定し、固定された壁パネルの端部表面にカバープレートの巾方向の一側部を仮置きし、カバープレートの巾方向の中央部にボルトを貫通させるとともに壁下地の裏面に係止された座金との間にボルトを仮止めして壁下地にカバープレートを仮保持し、側方が開放されているカバープレートと他方の壁下地との間に他方の壁パネルを挿入するとともに壁パネルに付設されていてパネルの上下幅方向全長にわたるシール材を上記ジョイント手段に押圧させ、他方の壁パネルを他方の壁下地に内側より固定ボルトにて固定し、ボルトを内側より本締めしてカバープレートを左右の壁パネルに圧接して成ることを特徴とする壁パネルの施工方法。
【発明の詳細な説明】
【０００１】
【発明の属する技術分野】
本発明は、壁パネルの接続構造及び壁パネルの施工方法に関し、詳しくは、壁パネルの施工を足場を組むことなく、内側からの施工にておこなおうとする技術に係るものである。
【０００２】
【従来の技術】
左右の壁パネルの接続箇所の表面にカバープレートを装着するとともにシール材を介して壁パネルを接続する壁パネルの接続構造及び壁パネルの施工方法においては、屋外側に足場を組んでおこなうのであり、屋外側に足場を組むスペースを要するとともに足場を組み立てる作業及び解く作業を要し、施工性が低く、施工コストも高くなり、特に、足場を組むスペースがない場合の施工が甚だ困難となるものとなっていた。
【０００３】
【発明が解決しようとする課題】
本発明は上記の点に鑑みてなされたものであり、壁パネルの施工を足場を組むことなく、内側からの施工にておこなうことができる壁パネルの接続構造及び施工方法を提供することを目的とするものである。
【０００４】
【課題を解決するための手段】
請求項１においては、左右の壁パネル１ａ，１ｂの接続箇所の表面にカバープレート２を装着するとともにシールを図って壁パネルを接続する壁パネルの接続構造であって、左右に間隔を隔てた壁下地３ａ，３ｂ間に上下幅方向全長にわたってジョイント手段３１を取付け、一方の壁パネル１ａをパネルの上下幅方向全長にわたるシール材４を介してジョイント手段３１に押圧させて一方の壁下地３ａに内側より固定ボルト２４にて固定し、固定された壁パネル１ａの端部表面にカバープレート２の巾方向の一側部を仮置きし、カバープレート２の巾方向の中央部にボルト６を貫通させるとともに壁下地３ａの裏面に係止された座金７との間にボルト６を仮止めして壁下地３ａにカバープレート２を仮保持し、側方が開放されているカバープレート２と他方の壁下地３ｂとの間に他方の壁パネル１ｂを挿入するとともに壁パネル１ｂに付設されていてパネルの上下幅方向全長にわたるシール材４を上記ジョイント手段３１に押圧させ、他方の壁パネル１ｂを他方の壁下地３ｂに内側より固定ボルト２４にて固定し、ボルト６を内側より本締めしてカバープレート２を左右の壁パネル１ａ，１ｂに圧接することを特徴とするものである。このような構成によれば、一方の壁パネル１ａをシールを図って一方の壁下地３ａに固定し、この固定された壁パネル１ａの端部表面に一側部を当接したカバープレート２と壁下地３ａの裏面に係止される座金７との間にボルト６を仮止めしてカバープレート２を仮保持し、このようにカバープレート２と他方の壁下地３ｂ間が開放されている状態で、他方の壁パネル１ｂを側方から挿入してシール材４にてシールを図って他方の壁パネル１ｂを裏面側から壁下地３ｂに固定し、カバープレート２を貫通しているボルト６を本締めして、左右の壁パネル１ａ，１ｂを壁下地３ａ，３ｂに押圧して左右の壁パネル１ａ，１ｂを内側からの作業にて固定することができるのであり、壁パネル１ａ，１ｂの施工に際して、外面に足場を組むことをなくすことができるものである。
【０００５】
請求項２においては、ジョイント手段３１は、チャンネル状の縦ジョイント２１を備え、縦ジョイント２１に断熱材２２を装填するとともに縦ジョイント２１の両側壁２１ａ，２１ａの先端部を左右の壁パネル１ａ，１ｂの端部背面に付設したシール材４，４に圧入していることを特徴とするものである。このような構成によれば、チャンネル形に形成した縦ジョイント２１に装填した断熱材２２によって壁パネルの接続箇所の断熱を図ることができながら、チャンネル形の縦ジョイント２１の両側壁２１ａ，２１ａの上端部を壁パネル１ａ，１ｂ側のシール材４，４に圧入することで、高いシール機能を得ることができるものである。
【０００６】
請求項３においては、ジョイント手段３１は、チャンネル状の縦ジョイント２１と断面ハット形の覆い体３２を備え、覆い体３２に断熱材２２を装填するとともに縦ジョイント２１を覆い体３２に固定し、縦ジョイント２１の両側壁２１ａ，２１ａの先端部を左右の壁パネル１ａ，１ｂの端部背面に付設したシール材４，４に圧入していることを特徴とするものである。このような構成によれば、断面ハット形の覆い体３２に装填した断熱材２２によって壁パネルの接続箇所の断熱を図ることができながら、断面ハット形の覆い体３２にて断熱材２２を保護することができ、断熱機能を長期にわたって維持でき、チャンネル形の縦ジョイント２１の両側壁２１ａ，２１ａの上端部を壁パネル１ａ，１ｂ側のシール材４，４に圧入することで、高いシール機能を得ることができるものである。
【０００７】
請求項４においては、カバープレート２と左右の壁パネル１ａ，１ｂとの間にシールパッキン８を介装してあることを特徴とするものである。このような構成によれば、カバープレート２と壁パネル１ａ，１ｂとのシール効果を一層、高めることができるものである。
【０００８】
【発明の実施の形態】
以下、本発明の実施の形態を説明する。図１は全体断面図、図２は分解斜視図、図３〜図５は工程図を示している。
【０００９】
壁パネル１ａ（１ｂ）は、表裏の金属板９，１０間に無機繊維結合体のような断熱耐火材又は硬質ウレタンフォームやポリイソシアヌレートフォームのような有機系の断熱材１１を充填して構成したものであり、壁パネル１ａの左右端部に、表の金属板１を折り曲げてパネル側端面１２を形成している。壁パネル１ａの厚さ方向の中間部にパネル側端面１２に引き続いて外側方に折り曲げて壁パネル１ａの表面に略平行となる縦目地片１３を形成している。この縦目地片１３は製作の都合で除くことができるものである。
【００１０】
図３（ａ）に示すように、壁パネル１ａの上端部にはボルト止め部１５がパネル表面部から凹入して段落とし状に形成されるとともに上端面に嵌合凹部１６が形成され、下端部には嵌合凸部１７が形成されるとともに覆い片１８が垂下されている。
【００１１】
以下、このような壁パネル１ａ，１ｂを左右方向に接続する構造及び方法を詳述する。
【００１２】
図４（ａ）（ｂ）に示すように、壁パネル１ａ，１ｂを接続するために左右に間隔を隔てた壁下地３ａ，３ｂの下端部の胴縁材１９に水切り２０を取付ける。図２に示すように例えば、金属板を折り曲げてチャンネル形に形成してジョイント手段３１を構成している縦ジョイント２１には耐火機能を備えた例えば、セラミックファイバーのような断熱材２２を予め充填してあり、縦ジョイント２１の背面には塞ぎ板２３を例えば両面接着テープにて接着している。しかして、塞ぎ板２３を左右の壁下地３ａ，３ｂ間にわたらせて例えば両面接着テープにて取付ける。壁パネル１ａのパネル側端面１２の内部空所に水密シール用のシール材４を充填している。
【００１３】
このような状態で、図４（ｄ）（ｅ）に示すように、一方の壁パネル１ａをクレーンにて吊り下げて保持している状態で、壁下地３ａ及び壁パネル１ａに内部から電動工具にて穿孔をおこない、図１に示すように、壁パネル１ａの縦目地片１３を縦ジョイント２１の内部に入るように位置させ、そして、屋内側に居る人が手を屋外側に出して固定ボルト２４を壁パネル１ａ及び壁下地３ａに屋外側から挿入してナット２５にて仮固定する。
【００１４】
次に、図５（ａ）に示すように、固定された壁パネル１ａの端部表面にカバープレート２の巾方向の一側部を仮置きし、カバープレート２の巾方向の中央部に形成されている溝２６においてボルト６を貫通させるとともに壁下地３ａに当てて（係止して）いる座金７に挿通してナット２８にて仮保持する。このようにして、側方が開放されているカバープレート２と他方の壁下地３ｂとの間に他方の壁パネル１ｂをクレーンにて吊り下げながら挿入するのであり、この場合、縦ジョイント２１の両側壁２１ａ，２１ａの先端部を左右の壁パネル１ａ，１ｂの端部背面に付設したシール材４，４に圧入することで、高いシール機能を得るのであり、更に、壁下地３ｂと壁パネル１ｂに内側から電動工具にて穿孔をおこない、屋内側に居る人が固定ボルト２４を壁パネル１ｂ及び壁下地３ｂに挿通してナット２７にて固定する。
【００１５】
このように仮固定をおこなった後、３本のボルト６，２４，２４におけるナット２８，２５，２７を本締めすることで、カバープレート２を左右の壁パネル１ａ，１ｂに圧接して壁パネル１ａ，１ｂを接続するのである。
【００１６】
このように、一方の壁パネル１ａをシールを図って一方の壁下地３ａに固定し、この固定された壁パネル１ａの端部表面に一側部を当接したカバープレート２と壁下地３ａの裏面に係止される座金７との間にボルト６を仮止めしてカバープレート２を仮保持し、このようにカバープレート２と他方の壁下地３ｂ間が開放されている状態で、他方の壁パネル１ｂを側方から挿入してシール材４にてシールを図って他方の壁パネル１ｂを裏面側から壁下地３ｂに固定し、カバープレート２を貫通しているボルト６を本締めして、左右の壁パネル１ａ，１ｂを壁下地３ａ，３ｂに押圧して左右の壁パネル１ａ，１ｂを内側からの作業にて固定することができるのであり、壁パネル１ａ，１ｂの施工に際して、外面に足場を組むことをなくすことができるものである。
【００１７】
このような屋内側からの施工は、図５（ｅ）に示すように、壁パネル１ａを施工壁面の上端にまで縦方向に接続施工した後、壁パネル１ｂを下段から施工するのである。
【００１８】
カバープレート２と壁パネル１ａ，１ｂとの間にはシールパッキン８を介装してあり、カバープレート２と壁パネル１ａ，１ｂとのシール効果を高めている。シールパッキン８は中空環状部３３及びベローズ部２９を備えていて、中空環状部３３を接続中央側に配して水密シール性を高めるようにしている。
【００１９】
又、図３（ｂ）に示すように、壁パネル１ａ，１ａ（１ｂ，１ｂ）の縦方向の接続箇所で、壁パネル１ａの側端部には、目地シール３０が介装されていて上下接続箇所に浸入した雨水が横走りして上述した縦接続箇所に浸入するのを阻止するようにしている。そして、壁パネル１ａ，１ｂ間に介装したシールパッキン８の中空環状部３１が目地シール３０に弾接して、一層、シール効果を高めている。
【００２０】
図６は他の実施の形態を示していて、ジョイント手段３１は、チャンネル状の縦ジョイント２１と、例えば金属板を折り曲げた断面ハット形の覆い体３２を備えていて、覆い体３２に、例えばセラミックファイバーのような断熱材２２を装填するとともに縦ジョイント２１を覆い体３２にビス等にて固定し、覆い体３２の背面には塞ぎ板２３を例えば両面接着テープにて接着して断熱材２２を囲繞している。そして、覆い体３２を左右の壁下地３ａ，３ｂに固定し、縦ジョイント２１の両側壁２１ａ，２１ａの先端部を左右の壁パネル１ａ，１ｂの端部背面に付設したシール材４，４に圧入しているものである。
【００２１】
このような構成によれば、断面ハット形の覆い体３２に装填した断熱材２２によって壁パネルの接続箇所の断熱を図ることができながら、断面ハット形の覆い体３２にて断熱材２２を保護するのであり、断熱機能を長期にわたって維持するのであり、チャンネル形の縦ジョイント２１の両側壁２１ａ，２１ａの上端部を壁パネル１ａ，１ｂ側のシール材４，４に圧入することで、高いシール機能を得るものである。
【００２２】
【発明の効果】
請求項１においては、左右に間隔を隔てた壁下地間に上下幅方向全長にわたってジョイント手段を取付け、一方の壁パネルをパネルの上下幅方向全長にわたるシール材を介してジョイント手段に押圧させて一方の壁下地に内側より固定ボルトにて固定し、固定された壁パネルの端部表面にカバープレートの巾方向の一側部を仮置きし、カバープレートの巾方向の中央部にボルトを貫通させるとともに壁下地の裏面に係止された座金との間にボルトを仮止めして壁下地にカバープレートを仮保持し、側方が開放されているカバープレートと他方の壁下地との間に他方の壁パネルを挿入するとともに壁パネルに付設されていてパネルの上下幅方向全長にわたるシール材を上記ジョイント手段に押圧させ、他方の壁パネルを他方の壁下地に内側より固定ボルトにて固定し、ボルトを内側より本締めしてカバープレートを左右の壁パネルに圧接するから、つまり、一方の壁パネルをシールを図って一方の壁下地に固定し、この固定された壁パネルの端部表面に一側部を当接したカバープレートと壁下地の裏面に係止される座金との間にボルトを仮止めしてカバープレートを仮保持し、このようにカバープレートと他方の壁下地間が開放されている状態で、他方の壁パネルを側方から挿入してシール材にてシールを図って他方の壁パネルを裏面側から壁下地に固定し、カバープレートを貫通しているボルトを本締めして、左右の壁パネルを壁下地に押圧して左右の壁パネルを内側からの作業にて固定することができるのであり、壁パネルの施工に際して、外面に足場を組むことをなくすことができるという利点がある。
【００２３】
請求項２においては、ジョイント手段は、チャンネル状の縦ジョイントを備え、縦ジョイントに断熱材を装填するとともに縦ジョイントの両側壁の先端部を左右の壁パネルの端部背面に付設したシール材に圧入しているから、請求項１の効果に加えて、チャンネル形に形成した縦ジョイントに装填した断熱材によって壁パネルの接続箇所の断熱を図ることができながら、チャンネル形の縦ジョイントの両側壁の上端部を壁パネル側のシール材に圧入することで、高いシール機能を得ることができるという利点がある。
【００２４】
請求項３においては、ジョイント手段は、チャンネル状の縦ジョイントと断面ハット形の覆い体を備え、覆い体に断熱材を装填するとともに縦ジョイントを覆い体に固定し、縦ジョイントの両側壁の先端部を左右の壁パネルの端部背面に付設したシール材に圧入しているから、請求項１の効果に加えて、断面ハット形の覆い体に装填した断熱材によって壁パネルの接続箇所の断熱を図ることができながら、断面ハット形の覆い体にて断熱材を保護することができ、断熱機能を長期にわたって維持でき、チャンネル形の縦ジョイントの両側壁の上端部を壁パネル側のシール材に圧入することで、高いシール機能を得ることができるという利点がある。
【００２５】
請求項４においては、カバープレートと左右の壁パネルとの間にシールパッキンを介装してあるから、請求項１の効果に加えて、カバープレートと壁パネルとのシール効果を一層、高めることができるという利点がある。
【００２６】
請求項５においては請求項１と同様な効果を得ることができる。
【図面の簡単な説明】
【図１】本発明の実施の形態を示す全体断面図である。
【図２】全体の分解斜視図である。
【図３】（ａ）は同上の縦方向の接続箇所の断面図、（ｂ）は斜視図、（ｃ）は作用を示す断面図である。
【図４】（ａ）（ｂ）（ｃ）（ｄ）及び（ｅ）は作用を示す斜視図である。
【図５】（ａ）（ｂ）（ｃ）及び（ｄ）は作用を示す斜視図、（ｅ）は正面図である。
【図６】同上の他の実施の形態の断面図である。
【符号の説明】
１ａ  壁パネル
１ｂ  壁パネル
２    カバープレート
３ａ  壁下地
３ｂ  壁下地
４    シール材
６    ボルト
８    シールパッキン
３１  ジョイント手段
３２  覆い体
【図１】
0003550304.tif 000002
【図２】
0003550304.tif 000003
【図３】
0003550304.tif 000004
【図４】
0003550304.tif 000005
【図５】
0003550304.tif 000006
【図６】
0003550304.tif 000007